(57)【特許請求の範囲】
【請求項１】
複数の周波数ブロック及び送信時間間隔で構成される無線リソースを用いて移動局に対してパケットを送信し、送信パケットに誤りが検出されたときに、再送パケットを送信する再送機能を有する基地局であって：
第１の周期及び第１の周波数割り当てパターンに従って、移動局のチャネル状態に応じて送信パケット又はその再送パケットに無線リソースを割り当てるスケジューリングを行う第１スケジューリング部；
第２の周期及び第２の周波数割り当てパターンに従って、送信パケット又はその再送パケットに無線リソースを割り当てるスケジューリングを行う第２スケジューリング部；
第１の周期及び第１の周波数割り当てパターンと第２の周期及び第２の周波数割り当てパターンとが所定の関係を有するように制御する制御部；及び
前記第１スケジューリング部で割り当てられた無線リソースと前記第２スケジューリング部で割り当てられた無線リソースとが競合する場合、前記第１スケジューリング部でスケジューリングされた送信パケット又は再送パケットで満たす必要のある品質情報と前記第２スケジューリング部でスケジューリングされた送信パケット又は再送パケットで満たす必要のある品質情報とを比較し、前記比較に基づいて無線リソースを優先的に割り当てることにより、前記第１スケジューリング部でスケジューリングされた送信パケット又はその再送パケットの無線リソースと前記第２スケジューリング部でスケジューリングされた送信パケット又はその再送パケットの無線リソースとが競合しないように調整する調整部；
を有する基地局。
【請求項２】
前記第１スケジューリング部は、同期型ＡＲＱに従って前記再送パケットをスケジューリングすることを特徴とする請求項１に記載の基地局。
【請求項３】
前記調整部は、品質の要件が厳しい方に無線リソースを優先的に割り当てることを特徴とする請求項１に記載の基地局。
【請求項４】
前記調整部で調整された結果として、前記再送パケットに使用される無線リソースを前記移動局に通知する制御信号を生成して送信する制御信号生成送信部；
を更に有する請求項１に記載の基地局。
【請求項５】
前記制御信号生成送信部は、前記調整部で競合が検出されたときに、サブフレーム毎に送信するスケジューリングの割り当て情報と共に、前記制御信号を生成して送信することを特徴とする請求項４に記載の基地局。
【請求項６】
前記制御信号生成送信部は、上位レイヤの制御情報として、前記制御信号を生成して送信することを特徴とする請求項４に記載の基地局。
【請求項７】
前記制御部は、第２の周期が第１の周期の整数倍になるように制御する請求項１に記載の基地局。
【請求項８】
前記制御部は、第２の周波数割り当てパターンに従って割り当てられる無線リソース間の周波数間隔が第１の周波数割り当てパターンに従って割り当てられる無線リソース間の周波数間隔の整数倍になるように制御する請求項１に記載の基地局。
【発明の詳細な説明】
【技術分野】
【０００１】
本発明は、移動局に対して送信する送信パケットに誤りが検出されたときに、再送パケットを送信する再送機能を有する基地局に関する。
【背景技術】
【０００２】
無線通信において、基地局と移動局との間で送信されるパケットの誤りを検出して、誤りのあるパケットのみを再送信させる再送制御法が使用されている。この再送制御法は、再送タイミングの観点から、図１に示す２種類の方式に区別される。一方は同期型ＡＲＱ（Synchronous ARQ）と呼ばれ、他方は非同期型ＡＲＱ（Asynchronous ARQ）と呼ばれている。
【０００３】
同期型ＡＲＱとは、予め決められた再送タイミングで再送を行うことをいう。例えば＃０（Ｓ００）の送信パケットが誤りとして検出されたときに、その再送は＃０（Ｓ１０）、＃０（Ｓ２０）でのみ行うことができる。典型的な例としては、同期型ＡＲＱの制御ループ遅延（ＲＴＴ：Round Trip Timeともいう）の整数倍のフレームで再送を行う。
【０００４】
非同期型ＡＲＱとは、１ＲＴＴ以後であれば再送パケットをいつでも送信でき、再送タイミングが決められていない再送のことをいう。例えば＃０（Ａ００）の送信パケットが誤りとして検出されたときに、その再送は（Ａ１０）以降の如何なる送信スロットタイミング（ＴＴＩ: Transmission Time Intervalともいう）で再送を行ってもよい。すなわち、１ＲＴＴ以降の如何なるＴＴＩ（Ａ１０〜Ａ２５）で再送を行ってもよい。非同期型ＡＲＱはＨＳＤＰＡにおいて使用されている（非特許文献１）。
【０００５】
一方、基地局が所定の周期及び所定の周波数割り当てパターンで無線リソースを割り当てるPersistent Schedulingと呼ばれる方法がある。図２に、このPersistent Schedulingによるスケジューリングを示す。図２は基地局がユーザデータに対して無線リソースを割り当てるパターンを示しており、Persistent Schedulingでは、所定の周期及び所定の周波数割り当てパターンで無線リソースを割り当てる。例えば時間方向では５ＴＴＩ毎に、周波数方向では１周波数ブロック毎に変化するパターンを用いて、基地局が無線リソースを割り当てる。図示の場合には、時間Ｔ０及び周波数ブロックＦ０で基地局がユーザデータに無線リソースを割り当てた次に、時間Ｔ５及び周波数ブロックＦ１で無線リソースを割り当てる。このような所定の周期及び所定の周波数割り当てパターンは、基地局と移動局との双方にとって既知であり、移動局はその周期及び周波数割り当てパターンに従ってデータを受信し、復調及び復号することができる。このように、Persistent Schedulingでは基地局と移動局との双方に既知の情報を用いるため、無線リソースの割り当て情報を基地局から移動局に送信する必要がなく、オーバーヘッドの増大を避けることができるという利点がある。特に、一定の周期で無線リソースの割り当てが必要なリアルタイム型の音声通信等（一定速度の低レートで通信を行い、オーバーヘッドの低減が必要なアプリケーション）への適用が有効であると考えられる。
【非特許文献１】3GPP TS25.212、“Multiplexing and channel coding (FDD)”
【発明の開示】
【発明が解決しようとする課題】
【０００６】
Persistent Schedulingでは所定の周期及び所定の周波数割り当てパターンで無線リソースの割り当てが行われる。従って、（Persistent Schedulingではない）通常のチャネル変動に応じてスケジューリングを行って送信パケット又はその再送パケットを送信する場合に、Persistent Schedulingで送信しようとする送信パケット又は再送パケットと、通常のチャネル状態に応じたスケジューリングにおける送信パケット又は再送パケットとが同じ無線リソースを競合する可能性がある。例えば、図３において基地局が時間Ｔ５及び周波数Ｆ１で送信したパケットの次のパケットはPersistent Schedulingを用いて時間Ｔ１０及び周波数Ｆ２にスケジューリングされる。また、基地局が時間Ｔ５及び周波数Ｆ２で送信したパケットに誤りが検出されると、その再送が同期型ＡＲＱに従って時間Ｔ１０及び周波数Ｆ２にスケジューリングされる。このような場合に無線リソースの競合が生じる。
【０００７】
このような無線リソースの競合は、移動局のチャネル状態に応じたユニキャストチャネルのスケジューリングと、ブロードキャスト／マルチキャストのスケジューリングとを共存させる場合にも生じる可能性がある。例えば、複数のＴＴＩがブロードキャスト／マルチキャストチャネルに割り当てられている場合に、ユニキャストチャネルでのパケットに再送が生じると、その再送パケットはブロードキャスト／マルチキャストチャネルに割り当てられた無線リソースを使用することができない。このように無線リソースの競合が生じる可能性がある。
【０００８】
更に、異なる送信時間長が許容される送信パケット又はその再送パケットのスケジューリングにおいても生じる可能性がある。例えば、２ＴＴＩ長のLongパケットを再送している場合に、１ＴＴＩ長のShortパケットに再送が生じた場合に、その再送パケットはLongパケットの再送に割り当てられた無線リソースを使用することができない。このように無線リソースの競合が生じる可能性がある。
【０００９】
このため、基地局では無線リソースの割り当てを調整する何らかの機構が必要である。特に、同期型ＡＲＱを用いて再送を行う場合には、再送を行うタイミングに制約があるため、Persistent Schedulingと再送とをどのように共存させるかが課題となる。また、非同期型ＡＲＱを用いて再送を行う場合にも、同様の課題が生じる可能性がある。そのほかにも、ユニキャストチャネルのスケジューリングとブロードキャスト／マルチキャストのスケジューリングとをどのように共存させるか、異なる送信時間長が許容される送信パケット又はその再送パケットのスケジューリングをどのように共存させるかが課題となる。
【００１０】
本発明は、前記の課題を解決するためになされたものであり、基地局でのスケジューリング時における無線リソースの競合を回避することを目的とする。
【課題を解決するための手段】
【００１１】
本発明の前記の目的は、複数の周波数ブロック及び送信時間間隔で構成される無線リソースを用いて移動局に対してパケットを送信し、送信パケットに誤りが検出されたときに、再送パケットを送信する再送機能を有する基地局であって：第１の周期及び第１の周波数割り当てパターンに従って、移動局のチャネル状態に応じて送信パケット又はその再送パケットに無線リソースを割り当てるスケジューリングを行う第１スケジューリング部；第２の周期及び第２の周波数割り当てパターンに従って、送信パケット又はその再送パケットに無線リソースを割り当てるスケジューリングを行う第２スケジューリング部；第１の周期及び第１の周波数割り当てパターンと第２の周期及び第２の周波数割り当てパターンとが所定の関係を有するように制御する制御部；及び前記第１スケジューリング部で割り当てられた無線リソースと前記第２スケジューリング部で割り当てられた無線リソースとが競合する場合、前記第１スケジューリング部でスケジューリングされた送信パケット又は再送パケットで満たす必要のある品質情報と前記第２スケジューリング部でスケジューリングされた送信パケット又は再送パケットで満たす必要のある品質情報とを比較し、前記比較に基づいて無線リソースを優先的に割り当てることにより、前記第１スケジューリング部でスケジューリングされた送信パケット又はその再送パケットの無線リソースと前記第２スケジューリング部でスケジューリングされた送信パケット又はその再送パケットの無線リソースとが競合しないように調整する調整部；を有する基地局、によって解決することができる。
【発明の効果】
【００１４】
上記のように、本発明の実施例によれば、スケジューリング時における無線リソースの競合を回避することが可能になる。
【発明を実施するための最良の形態】
【００１５】
本発明の実施例について、図面を参照して以下に詳細に説明する。
【００１６】
（第１実施例）
図４は、本発明の第１実施例に従ったスケジューリングを示す図である。第１実施例では、図３に示すような競合が生じた場合に、Persistent Schedulingに従ってスケジューリングされた送信パケット又はその再送パケットに対して無線リソースを優先的に割り当てる場合について説明する。
【００１７】
図４では同期型ＡＲＱを用いた再送とPersistent Schedulingとが共存している。基地局が時間Ｔ２及び周波数Ｆ１で送信したパケットの次のパケットは、Persistent Schedulingを用いて時間Ｔ７及び周波数Ｆ２にスケジューリングされる。また、基地局が時間Ｔ２及び周波数Ｆ２で送信したパケットに誤りが検出されると、その再送が同期型ＡＲＱに従って時間Ｔ７及び周波数Ｆ２にスケジューリングされる。この場合に、無線リソースの競合が生じるため、基地局は、Persistent Schedulingでスケジューリングされた送信パケットに対して無線リソースを優先的に割り当てる。一方、再送パケットは次のＲＴＴのタイミングで送信される。すなわち、時間Ｔ１２及び周波数Ｆ２で再送が行われる。
【００１８】
このように無線リソースの競合を調整することにより、同期型ＡＲＱとPersistent Schedulingとの共存が可能になる。
【００１９】
（第２実施例）
図５は、本発明の第２実施例に従ったスケジューリングを示す図である。第２実施例では、図３に示すような競合が生じた場合に、再送制御に従ってスケジューリングされた再送パケットに対して無線リソースを優先的に割り当てる場合について説明する。
【００２０】
図５では同期型ＡＲＱを用いた再送とPersistent Schedulingとが共存している。基地局が時間Ｔ２及び周波数Ｆ１で送信したパケットの次のパケットは、Persistent Schedulingを用いて時間Ｔ７及び周波数Ｆ２にスケジューリングされる。また、基地局が時間Ｔ２及び周波数Ｆ２で送信したパケットに誤りが検出されると、その再送が同期型ＡＲＱに従って時間Ｔ７及び周波数Ｆ２にスケジューリングされる。この場合に、無線リソースの競合が生じるため、基地局は、同期型ＡＲＱに従ってスケジューリングされた再送パケットに対して無線リソースを優先的に割り当てる。一方、Persistent Schedulingを用いてスケジューリングされたパケットは次のタイミングで送信される。すなわち、時間Ｔ７及び周波数Ｆ２での送信を行わずに、時間Ｔ１２及び周波数Ｆ３で送信を行う。
【００２１】
このように無線リソースの競合を調整することにより、同期型ＡＲＱとPersistent Schedulingとの共存が可能になる。
【００２２】
（第１実施例及び第２実施例に従った基地局の構成図）
図６は、本発明の第１実施例及び第２実施例に従った基地局１０の構成図である。基地局１０は、チャネル状態に応じたスケジューリング部１０１と、Persistentスケジューリング部１０３と、調整部１０５と、無線リソース割り当て部１０７と、制御信号生成送信部１０９とを有する。
【００２３】
チャネル状態に応じたスケジューリング部１０１は、移動局のチャネル状態に応じて送信パケット又はその再送パケットのスケジューリングを行う。第１実施例及び第２実施例では、同期型ＡＲＱに従って再送パケットを無線リソースに割り当てるスケジューリングを行う。基地局から移動局に送信したパケットに誤りが検出されると、チャネル状態に応じたスケジューリング部１０１は、ＲＴＴの整数倍の無線フレームに再送パケットを割り当てるスケジューリングを行う。なお、以下に説明するように、チャネル状態に応じたスケジューリング部１０１は非同期型ＡＲＱに従って再送パケットを無線リソースに割り当てるスケジューリングを行ってもよい。
【００２４】
Persistentスケジューリング部１０３は、Persistent Schedulingに従って送信パケット又はその再送パケットを無線リソースに割り当てるスケジューリングを行う。より具体的には、所定の周期及び所定の周波数割り当てパターンで送信パケット又はその再送パケットを無線リソースに割り当てるスケジューリングを行う。
【００２５】
調整部１０５は、チャネル状態に応じたスケジューリング部１０１でスケジューリングされたスケジューリング情報とPersistentスケジューリング部でスケジューリングされたスケジューリング情報とを受け取り、これらが競合する可能性があるか否かを検出し、これらのスケジューリングが競合しないように調整する。第１実施例によれば、調整部１０５は、Persistentスケジューリング部１０３でスケジューリングされた送信パケット又はその再送パケットに対して無線リソースを優先的に割り当てる。第２実施例によれば、調整部１０５は、チャネル状態に応じたスケジューリング部１０１でスケジューリングされた再送パケットに対して無線リソースを優先的に割り当てる。
【００２６】
また、調整部１０５は、チャネル状態に応じたスケジューリング部１０１及びPersistentスケジューリング部１０３から遅延情報やパケット誤り率のような品質情報を受け取り、これらの品質情報を比較し、その比較に基づいて優先的に割り当てを行う。例えば遅延に対する品質の要件が厳しいトラヒックをスケジューリングしている方に優先的に無線リソースを割り当てる。
【００２７】
無線リソース割り当て部１０７は、チャネル状態に応じたスケジューリング部１０１、Persistentスケジューリング部１０３及び調整部１０５でスケジューリング及び調整された無線リソースの割り当てを行う。
【００２８】
（第３実施例に従った基地局及び移動局の構成図）
第３実施例では、図３に示すような競合が生じる可能性がある場合に、予め基地局から移動局に制御信号で通知する場合について説明する。
【００２９】
図３のように、基地局が時間Ｔ５及び周波数Ｆ２で送信したパケットに再送が生じる場合には、時間Ｔ１０及び周波数Ｆ２の無線リソースで競合が生じることがわかる。従って、基地局は、制御情報（制御ビット）を用いて、再送パケットに使用される無線リソースを指定する。基地局は、具体的にどの無線リソースを使用するかを指定してもよく、予め定められたパターン（例えば、隣接ブロックを参照する）に従って無線リソースを指定してもよい。
【００３０】
図７は、本発明の第３実施例に従った基地局１０の構成図である。基地局１０が制御信号生成送信部１０９を有する以外は、図６と同じである。制御信号生成送信部１０９は、調整部１０５から調整結果を受け取り、再送パケットに使用される無線リソースを指定する制御信号を生成し、移動局に送信する。
【００３１】
図８は、本発明の第３実施例に従った移動局２０の構成図である。移動局２０は、制御信号処理部２０１と、再送タイミング決定部２０３とを有する。制御信号処理部２０１は、基地局から受信した制御信号を復号及び復調し、再送パケットのタイミング情報を抽出する。再送タイミング決定部２０３は、抽出された再送パケットのタイミング情報に基づいて再送パケットを基地局に再送するタイミングを決定する。
【００３２】
このように基地局から移動局に送信する制御信号は、サブフレーム毎に送信されるスケジューリングの割り当て情報に関する制御信号と共に送信されてもよい。具体的には、基地局は図３の時間Ｔ５及び周波数Ｆ２で送信パケットに誤りを検出したときに、再送要求を行うが、このときに調整部１０５での調整結果を制御信号生成送信部１０９から送信してもよい。この場合には、制御信号はＬ１／Ｌ２の制御情報を送信するチャネルにより送信される。
【００３３】
また、基地局から移動局に送信する制御信号は、上位レイヤの制御情報として送信されてもよい。具体的には、報知チャネルを用いてシステム情報に含めて送信してもよいし、又は共有データチャネルを用いて、ユーザデータと共に送信してもよい。この場合には、上記のサブフレーム毎に送信する場合と比較して、制御信号は緩やかな周期で送信される。
【００３４】
（第４実施例）
図９は、本発明の第４実施例に従ったスケジューリングを示す図である。第４実施例では、Persistentスケジューリング部１０３でスケジューリングされる送信パケット又は再送パケットの送信間隔とチャネル状態に応じたスケジューリング部１０１でスケジューリングされる送信パケット又は再送パケットの送信間隔とが整数倍の関係になるように制御する場合について説明する。
【００３５】
前記のように、同期型ＡＲＱでは再送パケットの送信間隔は、典型的にはＲＴＴの整数倍（図９では６サブフレーム毎）になる。Persistentスケジューリング部１０３でスケジューリングされる送信パケットの送信間隔を予め再送パケットの整数倍（図９では１２サブフレーム毎）にしておくことにより、無線リソースの競合の有無を予め認識することができる。具体的には、時間＃１ａにスケジューリングされた再送パケットと時間＃１ｐにスケジューリングされた送信パケットとは競合するが、時間＃２ａにスケジューリングされた再送パケットは競合が生じない。
【００３６】
このような関係にすることにより、どのタイミングで無線リソースの競合が発生するかが認識しやすいため、スケジューリング及び再送制御に関する基地局及び移動局の構成を簡単にすることができる。また、常に競合が生じない無線リソースが存在するため、Persistent Schedulingの影響を受けない無線リソースの確保を行うことができる。
【００３７】
（第４実施例に従った基地局の構成図）
図１０は、本発明の第４実施例に従った基地局１０の構成図である。基地局１０が送信間隔制御部１１１を有する以外は、図６と同じである。送信間隔制御部１１１は、Persistentスケジューリング部１０３でスケジューリングされる送信パケット又は再送パケットの送信間隔とチャネル状態に応じたスケジューリング部１０１でスケジューリングされる送信パケット又は再送パケットの送信間隔とが所定の関係（例えば整数倍）になるように予め制御し、チャネル状態に応じたスケジューリング部１０１及びPersistentスケジューリング部１０３にそれぞれ送信間隔を指示する。
【００３８】
（第５実施例）
図１１は、本発明の第５実施例に従ったスケジューリングを示す図である。第５実施例では、Persistentスケジューリング部１０３でスケジューリングされる送信パケット又は再送パケットの周波数割り当て位置とチャネル状態に応じたスケジューリング部１０１でスケジューリングされる送信パケット又は再送パケットの周波数割り当て位置とが所定の関係になるように制御する場合について説明する。
【００３９】
図１１に示すように、同期型ＡＲＱでの送信間隔を６サブフレーム毎、周波数割り当て位置を１周波数ブロック毎に遷移させる。また、Persistentスケジューリング部１０３でスケジューリングされる送信パケットの送信間隔を１２サブフレーム毎（同期型ＡＲＱの送信間隔の整数倍）、周波数割り当て位置を２周波数ブロック毎（同期型ＡＲＱの周波数割り当て位置の整数倍）に遷移させる。このように、送信間隔に加えて周波数位置も所定の関係になるように予め制御することにより、無線リソースの競合の有無を予め認識することができる。具体的には、時間＃１ａにスケジューリングされた再送パケットと時間＃１ｐにスケジューリングされた送信パケットとは競合するが、時間＃２ａにスケジューリングされた再送パケットは競合が生じない。
【００４０】
このような関係にすることにより、どのタイミングで無線リソースの競合が発生するかが認識しやすいため、スケジューリング及び再送制御に関する基地局及び移動局の構成を簡単にすることができる。また、常に競合が生じない無線リソースが存在するため、Persistent Schedulingの影響を受けない無線リソースの確保を行うことができる。
【００４１】
（第５実施例に従った基地局の構成図）
図１２は、本発明の第５実施例に従った基地局１０の構成図である。基地局１０が周波数割り当て位置制御部１１３を有する以外は、図６と同じである。周波数割り当て位置制御部１１３は、Persistentスケジューリング部１０３でスケジューリングされる送信パケット又は再送パケットの周波数割り当て位置とチャネル状態に応じたスケジューリング部１０１でスケジューリングされる送信パケット又は再送パケットの周波数割り当て位置とが所定の関係（例えば整数倍）になるように予め制御し、チャネル状態に応じたスケジューリング部１０１及びPersistentスケジューリング部１０３にそれぞれ周波数割り当て位置を指示する。
【００４２】
（第６実施例）
図１３は、本発明の第６実施例に従ったスケジューリングを示す図である。第６実施例では、再送制御として非同期型ＡＲＱを用いる場合について説明する。
【００４３】
前記のように非同期型ＡＲＱは１ＲＴＴ以降の如何なるＴＴＩで再送を行ってもよい。従って、時間Ｔ５及び周波数Ｆ２で誤りが検出された場合に、その再送は、Persistent Schedulingによる無線リソースと競合が生じない時間及び周波数で行う。すなわち、Persistent Schedulingによる送信パケットに対して無線リソースを優先的に割り当て、Persistent Schedulingで使用しない無線リソースに再送パケットを割り当てる。
【００４４】
このように非同期型ＡＲＱにおいても、無線リソースの競合を調整することにより、非同期型ＡＲＱとPersistent Schedulingとの共存が可能になる。
（第７実施例）
図１４は、本発明の第７実施例に従ったスケジューリングを示す図である。第７実施例では、再送制御として非同期型ＡＲＱを用いる場合について説明する。また、ＲＴＴの値は６ＴＴＩ長と仮定する。この場合に、セル内の特定又は不特定の複数のユーザに同一の送信パケットを複数のセルから送信するブロードキャスト／マルチキャストチャネルに無線リソースを割り当てることについて検討する。
【００４５】
図１４は、２番目から６番目のＴＴＩまでにマルチキャスト／ブロードキャストチャネルを割り当て、それ以外のＴＴＩにユニキャストチャネルを割り当てる様子を示している。このように無線フレームに送信パケットを割り当てるときに、特定のユーザにパケットの送信を行うユニキャストチャネルと、特定多数あるいは不特定多数の複数のユーザにパケットの送信を行うマルチキャスト／ブロードキャストチャネルとを共存させる。この場合、ユニキャストチャネルである０番目のＴＴＩで送信されたパケットに誤りが生じた場合に、非同期型ＡＲＱではＲＴＴの値である６ＴＴＩ長以降に再送パケットが送信可能になる。しかし、６ＴＴＩ長後にパケットの再送を行なおうとしても、６番目のＴＴＩはマルチキャスト／ブロードキャストチャネルに割り当てられているため、このタイミングでユニキャストチャネルの再送パケットに無線リソースを割り当てることができない。そこで、非同期型のＡＲＱでは、６ＴＴＩ以降のユニキャストチャネルの割り当てが可能なＴＴＩとして、７番目のＴＴＩにおいて再送パケットを割り当てる。このように、非同期型ＡＲＱにおいて、無線リソースの競合を調整することにより、ユニキャストチャネルに適用する非同期型ＡＲＱとマルチキャスト／ブロードキャストチャネルとの共存が可能になる。
【００４６】
第７実施例に従った基地局は、図６と同様に構成することができる。チャネル状態に応じたスケジューリング部１０１において、非同期型ＡＲＱに従ってユニキャストチャネルの再送パケットのスケジューリングを行う。Persistentスケジューリング部１０３の代わりに、ブロードキャスト／マルチキャストチャネルを無線リソースに割り当てるスケジューリングを行うブロードキャスト／マルチキャストチャネルスケジューリング部（図示せず）を設ければよい。調整部１０５は、チャネル状態に応じたスケジューリング部１０１でスケジューリングされた送信パケット又はその再送パケットと、ブロードキャスト／マルチキャストチャネルスケジューリング部でスケジューリングされた送信パケットとが競合しないように調整する。例えば、ブロードキャスト／マルチキャストチャネルスケジューリング部でスケジューリングされた送信パケットに対して無線リソースを優先的に割り当てる。
（第８実施例）
図１５は、本発明の第８実施例に従ったスケジューリングを示す図である。第８実施例では、再送制御として非同期型ＡＲＱを用いる場合について説明する。また、ＲＴＴの値は６ＴＴＩ長と仮定する。この場合に、異なる送信時間長が許容される送信パケット又はその再送パケットに無線リソースを割り当てることについて検討する。
【００４７】
図１５は、送信パケットについて異なる送信時間長を許容する例として、１ＴＴＩ長のShortパケットと２ＴＴＩ長のLongパケットとが存在し、双方のパケットの再送が発生する様子を示している。このように無線フレームに送信パケットを割り当てるときに、ShortパケットとLongパケットとを共存させる。初回送信時にShortパケットとLongパケットとが競合していなくても、その再送が生じるにつれて無線リソースが競合する可能性がある。例えば、１２、１３番目のＴＴＩで送信されたLongパケットに再送が発生し、また１４番目のＴＴＩで送信されたShortパケットに再送が発生した場合、Longパケットは、ＲＴＴの値である６ＴＴＩ長以降の１９、２０番目のＴＴＩで再送パケットが送信可能になる。一方、Shortパケットは、ＲＴＴの値である６ＴＴＩ長以降の２０番目のＴＴＩで再送パケットが送信可能になる。しかし、双方の再送パケットを６ＴＴＩ長後に再送を行なおうとしても、２０番目のＴＴＩにおいて無線リソースの競合が発生する。したがって、非同期型のＡＲＱでは、例えばShortパケットの再送パケットを７ＴＴＩ後の２１番目のＴＴＩに割り当てることにより、Longパケットとの無線リソースの競合を避けることができる。このように、非同期型ＡＲＱにおいて、無線リソースの競合を調整することにより、異なる送信時間長を有する送信パケット又は再送パケットとの共存が可能になる。
【００４８】
第８実施例に従った基地局は、図６と同様に構成することができる。チャネル状態に応じたスケジューリング部１０１において、非同期型ＡＲＱに従ってShortパケット及びLongパケットのスケジューリングを行う。第８実施例ではPersistentスケジューリング部１０３は必要ない。調整部１０５は、チャネル状態に応じたスケジューリング部１０１でスケジューリングされたShortパケット及びLongパケットの送信又はその再送が競合しないように調整する。例えば、Longパケットに対して無線リソースを優先的に割り当てる。
【００４９】
なお、本発明は、上記の実施例に限定されることなく、特許請求の範囲内において種々の変更及び応用が可能である。
【図面の簡単な説明】
【００５０】
【図１】従来技術の同期型ＡＲＱ及び非同期型ＡＲＱを示す図
【図２】従来技術のPersistent Schedulingによるスケジューリングを示す図
【図３】同期型ＡＲＱとPersistent Schedulingとを用いたときのスケジューリングを示す図
【図４】本発明の第１実施例に従ったスケジューリングを示す図
【図５】本発明の第２実施例に従ったスケジューリングを示す図
【図６】本発明の第１実施例及び第２実施例に従った基地局の構成図
【図７】本発明の第３実施例に従った基地局の構成図
【図８】本発明の第３実施例に従った移動局の構成図
【図９】本発明の第４実施例に従ったスケジューリングを示す図
【図１０】本発明の第４実施例に従った基地局の構成図
【図１１】本発明の第５実施例に従ったスケジューリングを示す図
【図１２】本発明の第５実施例に従った基地局の構成図
【図１３】本発明の第６実施例に従ったスケジューリングを示す図
【図１４】本発明の第７実施例に従ったスケジューリングを示す図
【図１５】本発明の第８実施例に従ったスケジューリングを示す図
【符号の説明】
【００５１】
１０  基地局
１０１  チャネル状態に応じたスケジューリング部
１０３  Persistentスケジューリング部
１０５  調整部
１０７  無線リソース割り当て部
１０９  制御信号生成送信部
２０  移動局
２０１  制御信号処理部
２０３  再送タイミング決定部
【図１】
0004799202.tif 000002
【図２】
0004799202.tif 000003
【図３】
0004799202.tif 000004
【図４】
0004799202.tif 000005
【図５】
0004799202.tif 000006
【図６】
0004799202.tif 000007
【図７】
0004799202.tif 000008
【図８】
0004799202.tif 000009
【図９】
0004799202.tif 000010
【図１０】
0004799202.tif 000011
【図１１】
0004799202.tif 000012
【図１２】
0004799202.tif 000013
【図１３】
0004799202.tif 000014
【図１４】
0004799202.tif 000015
【図１５】
0004799202.tif 000016